(57)【要約】【課題】外装を見れば炎色や炎色の変化を予知できる花火を提供する。また、外装を見れば炎色の変化の態様及び炎色の変化の時期を予知することができる花火を提供する。【解決手段】花火１ｂは着火リボン１０１と包装紙１２１乃至１２３と火薬２１乃至２３と把持部３０２により構成され、火薬２１乃至２３の３層に形成された火薬は把持部３０２を構成する所要の長さの竹籖に包装紙１２１乃至１２３により巻き付けられている。火薬の構成は着火リボン１０１側から順に赤色火薬２１、黄色火薬２２、緑色火薬２３である。花火１ｂの外装は包装紙１２１乃至１２３、包装リボン１３を螺旋状に巻いて接着され、各包装紙の配色と内包された火薬が燃焼するときに発する炎色およびその炎色を発する順番は対応している。各包装紙の位置と内包する火薬の位置は多少のずれはあるにしても本質的に対応している。【選択図】        図２
2005140425.tif 000002
【特許請求の範囲】
【請求項１】
点火後、炎色が変化する花火であって、
外装(110,121,122,123,13)の一部または／および全部に、該花火の発する炎色の情報または／および炎色の変化に関する情報(110,111,112,113,114,115,121,122,123,13)が表示されていることを特徴とする、
花火。
【請求項２】
点火後、炎色が変化する花火であって、
異なる炎色を発するよう構成された各火薬部(21,22,23,24,25)と、
火薬部の外装(110,121,122,123,13)と、を備えており、
各火薬部(21,22,23,24,25)の発する炎色の情報または／および炎色の変化に関する情報を表示した外装(110,111,112,113,114,115,121,122,123,13)の位置と、各火薬部(21,22,23,24,25)の位置が、対応あるいは本質的に対応するよう形成されていることを特徴とする、
花火。
【請求項３】
複数種類の炎色を発する火薬(21,22,23,24,25)を所要の順序で燃焼するよう内包し、火薬(21,22,23,24,25)が燃焼するときに発する炎色の順序を外装(110,121,122,123,13)に表したことを特徴とする、
花火。
【発明の詳細な説明】
【技術分野】
【０００１】
本発明は、花火に関する。更に詳しくは、火薬が燃焼するときに発する炎色の順序等を外装に表したものに関する。
【背景技術】
【０００２】
現在、花火（玩具用の花火）として流通している手で持つタイプの花火（以下「手持ち花火」という。）は、点火してから火が消える迄の間に、吹き出す炎や火花の色（以下「炎色」という。）が複数回変化するものがある。
炎色の変化は、ストロンチウム、バリウム、銅、ナトリウム、アルミニウム等を混合した火薬を燃焼させることにより起きる炎色反応を利用した現象であり、花火は上記複数種類の混合火薬から構成されている。複数種類の火薬を内包した花火は、その火薬が燃え進むことにより次々と炎色を変化させていくのである。
上記のような複数の炎色を発する花火は、下記の非特許文献１に多数掲載されている。
【非特許文献１】おもちゃ花火マガジン hanabiya.com、国産おもちゃ花火カタログ＜ＵＲＬ：http://www.hanabiya.com/katarogu/ka1.html＞
【発明の開示】
【発明が解決しようとする課題】
【０００３】
しかし、非特許文献１にかかる花火は、以下の問題点を有していた。
近年、流通における取扱の容易さから、複数種類の花火を徳用袋に詰めて売る形態で商取引されることが多く、また消費者としても徳用袋は手持ち花火が多種類詰められているため割安感があり、好んで購入されている。
しかし、徳用袋を構成する一つ一つの手持ち花火に炎色の説明書がついていることは稀であるため、実際に花火に点火して炎や火花が吹き出すまで、その炎色を知ることができないことが多いという課題があった。
また、小売店の店頭で１本ずつばら売りされている花火についても、炎色の説明が十分にされていないことが多く、実際に花火に点火して炎や火花が吹き出すまで、その炎色を知ることができないことが多いという課題があった。
【０００４】
更に、上記手持ち花火の外装には色紙等が巻かれていることが多い。しかし、これは単に装飾を施しているだけである場合がほとんどで、外装の色は炎色や炎色の変化の態様を示すものではなかった。
【０００５】
一方、大型の手持ち花火の外装には「５色変化」等の説明が記載されている場合もあるが、いつ、どの順番で何色に変化するかについてまで記載されているものは無かった。そのため、花火の炎色が分かったとしても、いつ、どの順番で何色に変化するかについては、前述の場合と同様、花火に点火して炎等が吹き出すまで炎色を知ることができないという課題もあった。
【０００６】
（発明の目的）
本発明の目的は、外装を見れば炎色や炎色の変化を予知できる花火を提供することにある。
また、本発明の他の目的としては、外装を見れば炎色の変化の態様及び炎色の変化の時期を予知することができる花火を提供することにある。
【課題を解決するための手段】
【０００７】
上記目的を達成するために講じた本発明の手段は次のとおりである。
第１の発明にあっては、
点火後、炎色が変化する花火であって、
外装の一部または／および全部に、該花火の発する炎色の情報または／および炎色の変化に関する情報が表示されていることを特徴とする、
花火である。
【０００８】
第２の発明にあっては、
点火後、炎色が変化する花火であって、
異なる炎色を発するよう形成された各火薬部と、
火薬部の外装と、を備えており、
各火薬部の発する炎色の情報または／および炎色の変化に関する情報を表示した外装の位置と、各火薬部の位置が、対応あるいは本質的に対応するよう形成されていることを特徴とする、
花火である。
【０００９】
第３の発明にあっては、
複数種類の炎色を発する火薬を所要の順序で燃焼するよう内包し、火薬が燃焼するときに発する炎色の順序を外装に表したことを特徴とする、
花火である。
【００１０】
本明細書及び本特許請求の範囲にいう「炎色」は、花火の火薬が燃焼して生じる色火に関するもので、より具体的には火炎または火花、火炎及び火花の色彩を指すものとして使用している。
【００１１】
本明細書及び本特許請求の範囲にいう「外装」は、花火の外表面に施した装飾に関するものとして使用している。
【００１２】
本明細書及び本特許請求の範囲にいう「外装の一部または／および全部」には、外装の一部または外装の全部のいずれか一方を含む場合もあるし、あるいは、外装の一部および外装の全部の両方を含む場合もある。
【００１３】
本明細書及び本特許請求の範囲にいう「炎色の情報または／および炎色の変化に関する情報」には、炎色の情報または炎色の変化に関する情報のいずれか一方を含む場合もあるし、あるいは、炎色の情報および炎色の変化に関する情報の両方を含む場合もある。
【００１４】
本明細書及び本特許請求の範囲にいう「炎色の変化に関する情報」には、例えば、炎色の生ずる順番や、炎と同時に火花が生ずる等の変化を示した情報が含まれる。
【００１５】
本明細書及び本特許請求の範囲にいう「表示」の形態としては、例えば、炎色と同一色を外装に施す表示、炎色と同一色の模様を外装に施す表示、炎色を表わす文字を外装に施す表示等であってもよい。
【００１６】
（作  用）
外装の一部または／および全部に該花火の発する炎色の情報または／および炎色の変化に関する情報が表示された花火に火を付けると、内部の火薬が燃焼し炎色を発生する。燃焼が進むと異なる炎色に変化していく。花火の外装に炎色または／および炎色の変化の順番が表示されているため、次に出現する炎色を予知することができる。
【００１７】
各火薬部の発する炎色の情報または／および炎色の変化に関する情報を表示した外装の位置と、各火薬部の位置が、対応あるいは本質的に対応するよう形成された花火に火を付けると、内部の火薬が燃焼し炎色を発生する。燃焼が進むと異なる炎色に変化していく。花火の外装に炎色、炎色の変化の順番が表示されているため、次に出現する炎色または／および炎色の変化を予知することができる。
また、火薬の燃焼と外装の燃焼が同時に進むので、未だ燃焼していない部分の外装を見ることで次に出現する炎色または／および炎色の変化を予知することができる。
【発明の効果】
【００１８】
本発明によれば、次の効果を奏する。
（１）花火の外装を見れば炎色を予知することができるため、好きな炎色に変化する花火を選択して花火を楽しむことができる。
（２）花火の外装を見れば炎色の変化の時期を予知することができるため、好きな色に変化する花火を選択することができ、花火の炎色の変化を楽しむことができる。また、いつ炎色が変化するか予め分かっているため、花火が燃焼している時にじっくりと花火の炎色の変化を観察することができる面白味がある。
（３）花火の外装を見れば炎色の変化の判断ができるため、花火の商品管理または店頭における商品説明が容易となる。
（４）花火の外装を見れば炎色の変化を知ることができるため、購入の際購入者に商品選択の便宜を与える。
【発明を実施するための最良の形態】
【００１９】
本発明の実施の形態を図面に基づき更に詳細に説明する。
図１は実施例１に係る花火の要部を断面にした説明図、
図２は実施例２に係る花火の要部を断面にした説明図である。
【実施例１】
【００２０】
まず図１に示す花火１ａについて説明する。
花火１ａは紙製の筒体１００を有しており、筒体１００の一端側は火薬を内包した収容体１０３となっており、残りの部分は把持部３０１を構成している。
収容部１０３の先端は、紙製の着火リボン１０１が設けられている。
収容部１０３の胴部は、包装紙１１０が巻かれており、包装紙１１０は接着剤により収容部１０３に接着されている。
収容部１０３内部は火薬が充填されており、着火リボン１０１側から順に赤色火薬２１、黄色火薬２２、緑色火薬２３、青色火薬２４、紫色火薬２５の５層に構成されている。
【００２１】
着火リボン１０１が設けられている端部側は紙パッキン１０２が設けられており、内部の火薬が収容部１０３外に出ないよう蓋の役割を果たしている。
紫色火薬２５が設けられている端部側は紙パッキン１４が設けられており、内部の火薬が燃焼した際に把持部３０１方向に逆噴射しないよう蓋の役割を果たしている。
【００２２】
包装紙１１０は、着火リボン１０１が設けられている端部側から順に赤色部１１１、黄色部１１２、緑色部１１３、青色部１１４、紫色部１１５の５色の部分に色分け印刷が施されている。
各色部は、内包された火薬が燃焼するときに発する炎色およびその炎色を発する順番に対応するよう印刷されている。
【００２３】
把持部３０１は中空となっている。
【００２４】
なお、花火の構造は本実施例にかかる形状に限定するものではなく、例えば、火薬部からなる部分と独立した把持部から構成される花火等であってもよい。
【００２５】
また、花火に係る火薬の配置順は本実施例にかかる順番に限定するものではなく、任意に定めてよい。
更に、炎色は、本実施例にかかる炎色に限定するものではなく、本実施例にかかる炎色に加えて、例えばピンク、白色（銀）の炎色を発する火薬を組み合わせたものであってもよい。
【００２６】
（作  用）
図１を参照して、花火１ａの作用を説明する。
花火１ａに設けられた着火リボン１０１に火を付ける。
火は最先端に位置する赤色火薬２１に燃え移り、赤い炎色を発して燃焼する。
赤色火薬２１が燃焼し尽くすと、隣接する黄色火薬２２に燃え移り、黄色い炎色を発して燃焼する。同様に、黄色火薬２２から緑色火薬２３、緑色火薬２３から青色火薬２４、青色火薬２４から紫色火薬２５に燃え移り炎色を発する。
【００２７】
花火１ａの包装紙１１０に、該花火の発する炎色（赤、黄、緑、青、紫）および炎色が発生する順番（赤、黄、緑、青、紫）が印刷表示されているため、花火１ａの外装である包装紙１１０を見れば炎色等を予知することができる。これにより花火をするときに、好きな炎色の花火を選択して花火を楽しむことができる。
また、花火１ａが発する炎色の順番を予め知っているので、その順番通りに変化していく炎色を観察することができる面白味がある。
【００２８】
また、販売の現場では、小売店の従業者等が店頭において商品説明する際、花火１ａの包装紙１１０を見れば炎色の変化が表示されているため説明が容易となり、または不要となる。
製造元、問屋、小売店における花火１ａの商品管理についても、花火１ａの包装紙１１０を見れば炎色の判断あるいは炎色の変化の判断ができるため、商品仕分け等の作業の際に必要とする種類の花火を判別することが容易である。
【００２９】
購入時においても、購入者は花火１ａの包装紙１１０を見れば炎色の変化を知る手掛かりとなるため、自分の欲しい炎色等の商品を選択できる。
【実施例２】
【００３０】
次に図２に示す１ｂについて説明する。なお、図１に示す花火１ａと同様あるいは同等の部分については説明を省略する。
【００３１】
花火１ｂは、着火リボン１０１と、包装紙１２１、１２２、１２３と、火薬２１、２２、２３と、把持部３０２と、により構成されている。
花火１ｂは、一部が把持部３０２を構成する所要の長さの竹籖に、火薬２１、２２、２３の３層に形成された火薬を包装紙１２１、１２２、１２３によって巻き付けて形成されている。
【００３２】
火薬は、着火リボン１０１が設けられている端部側から赤色火薬２１、黄色火薬２２、緑色火薬２３の順に設けられている。
【００３３】
着火リボン１０１が設けられている端部側は紙パッキン１０２が設けられている。緑色火薬２３が設けられている端部側は紙パッキン１４が設けられており、火薬が燃焼した際に把持部３０２方向に向けて逆噴射しないよう蓋の役割を果たしている。
【００３４】
花火１ｂの外装は、包装紙１２１乃至１２３、包装リボン１３を螺旋状に巻き接着して形成されている。
着火リボン１０１が設けられている端部側から順に、赤色の包装紙１２１を巻き、次に黄色の包装紙１２２を巻き、最後に緑色の包装紙１２３を巻き付けて接着してある。その後、各包装紙の継ぎ目の部分に包装リボン１３を螺旋状に巻いて接着してある。
各包装紙の色は、内包された火薬が燃焼するときに発する炎色およびその炎色を発する順番に対応しており、各包装紙が巻き付けられた位置も内包する火薬の位置と多少のずれはあるにしても本質的に対応している。
【００３５】
本実施例では、把持部３０２を形成する素材として竹籖を採用しているがこれに限定するものではなく、例えば、木製、金属製、合成樹脂製の棒状体であってもよい。
【００３６】
（作  用）
図２を参照して花火１ｂの作用を説明する。なお、図１に示す花火１ａと同様あるいは同等の作用については説明を省略する。
【００３７】
花火１ｂの包装紙１２１、１２２、１２３に、該花火の発する炎色（赤、黄、緑）および炎色が発生する順番（赤、黄、緑）が表示されているため、花火１ｂの外装である包装紙１２１乃至１２３を見れば炎色等を予知することができる。これにより花火をするときに、好きな炎色の花火を選択して花火を楽しむことができる。また、花火１ａが燃焼している時に順番に変化していく炎色を観察することができる面白味がある。
【００３８】
また、花火１ｂは各火薬部２１、２２、２３が燃焼する際に、対応する位置に設けられた包装紙１２１、１２２、１２３も一緒に燃焼していくため、花火の発火点の位置から次の炎色の変化の時期を予知することができ、炎色の変化を観察することができる面白味がある。
【００３９】
なお、変化する花火の炎色の数及び態様は、本実施例に限定するものではなく、技術的に可能ないかなる数及び態様であってもよい。
【００４０】
また、本実施例において、花火の外装は包装紙を採用しているが、これに限定するものではなく、例えば、合成樹脂製のフィルム等であってもよい。
【００４１】
本実施例において、花火は火薬部を包装紙で包んで外装を行っているが、これに限定するものではなく、例えば、いわゆるスパーク花火（練り火薬を棒に付けたもの。棒を軸に花が開くような形に燃える。）であってもよく、その場合は、露出した練り火薬に彩色して炎色が変化する部分を示すように形成してもよい。
【００４２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００４３】
【図１】実施例１に係る花火の要部を断面にした説明図。
【図２】実施例２に係る花火の要部を断面にした説明図。
【符号の説明】
【００４４】
１ａ    花火
１ｂ    花火
１００  筒体
１０１  着火リボン
１０２  紙パッキン
１０３  収容部
１１０  包装紙
１１１  包装紙（赤色部）
１１２  包装紙（黄色部）
１１３  包装紙（緑色部）
１１４  包装紙（青色部）
１１５  包装紙（紫色部）
１２１  包装紙（赤色部）
１２２  包装紙（黄色部）
１２３  包装紙（緑色部）
１３    包装リボン
１４    紙パッキン
２１    赤色火薬
２２    黄色火薬
２３    緑色火薬
２４    青色火薬
２５    紫色火薬
３０１  把持部
３０２  把持部
【図１】
2005140425.tif 000003
【図２】
2005140425.tif 000004